(57)【要約】本発明は、ベビーおむつ替えのテーブル又は机又は仕切りとして用いるように用意されたコンビネーション・テーブル（１）に関するもので、２枚の垂直なサイド部材（２）と１枚の水平なテーブルの上面（５）及び少なくとも１枚の水平棚（７）から成っているか、又は、２枚の垂直なサイド部材（２）と１枚の水平なテーブルの上面（５）及び１本の水平な横桁（１２）から成っている。代わりに、１枚以上の棚（７）がサイド部材（２）の間に取付けられている、又は、少なくとも２枚の垂直なサイド部材(２)が共にその垂直な端部により結合している。
2004521713.tif 000002
【特許請求の範囲】
【請求項１】
ベビー変形用テーブル又は机又は仕切りとして用いるために用意されたコンビネーション・テーブル（１）で、
（ａ）２個の垂直なサイド部材（２）及び水平なテーブルの上面（５）及び少なくとも１枚の水平な棚（７）、
（ｂ）又は、２個の垂直なサイド部材（２）及び１枚の水平なテーブルの上面（５）及び少なくとも１個の水平な横桁（１０）及びその代わりにそのサイド部材（２）の間に取付けられた１枚以上の棚（７）、
（ｃ）又は、その垂直な端部により結合し合った少なくとも２個の垂直なサイド部材（２）、
のどれかから成ることを特徴とするコンビネーション・テーブル。
【請求項２】
サイド部材（２）のそれぞれがそのフレームの上側と下側の水平な端部の間に伸びている垂直な棒材（３）を付けた長方形のフレームから成っていることを特徴とする請求項１に基づくコンビネーション・テーブル（１）。
【請求項３】
サイド部材（２）の下側のコーナーに車輪を設けていることを特徴とする請求項１から２までに基づくコンビネーション・テーブル（１）。
【請求項４】
サイド部材（２）の間で高さ調節が可能なテーブルの上面（５）及び少なくとも１枚の高さ調節が可能な棚（７）を水平に取付けたことを特徴とするベビー変形用テーブル（１）としての請求項１から３までに基づくコンビネーション・テーブルの使用。
【請求項５】
サイド部材（２）の間で高さ調節が可能なテーブルの上面（５）及び１個の横桁（１２）及びその代わりとして１個以上の高さ調節が可能な棚（７）を水平に取付けたことを特徴とする机（１３）としての請求項１から３までに基づくコンビネーション・テーブルの使用。
【請求項６】
サイド部材（２）がそれぞれの一方の垂直な端部を結合し合っていること、その代わりとして、そのサイド部材（２）の間に１枚以上のテーブルの上面（５）又は棚（７）が付いていることを特徴とする仕切りとしての請求項１から３に基づくコンビネーション・テーブルの使用。
【請求項７】
例えば、バスケット（１２）及び（又は）タオル・ホルダー（１１）のような物品ホルダーが、サイド部材（２）の各サイドで棒材（３）上に、かつ、任意の高さでスナップ(snap)されていることを特徴とする物品ホルダー。
【請求項８】
例えば、バスケット（１２）及び（又は）タオル・ホルダー（１１）のような物品ホルダーが、サイド部材（２）の任意の側の水平方向の端部にあるサイド部材（２）上の穴（９）の列内に、かつ、任意の高さで締結されている(fastened)ことを特徴とする物品ホルダー。
【発明の詳細な説明】
【技術分野】
【０００１】
本発明は変形の可能性を有し、いくつかの用途に適合するように再組立できるコンビネーション・テーブルに関する。
【背景技術】
【０００２】
従来技術では、種々の形状で、いくつかのベビー変形用テーブルが知られている。その一部は種々の方法で折りたためる。折りたたみ可能なベビー変形用テーブルの利点は、テーブルを使用しないとき、特に、使用する場所で利用できるスペースが限定されている場合、例えば、浴室内、又は、テーブルを他の方法で保持又は保管する場合に、占有スペースが少ないことである。
【０００３】
さらに、引出しを内蔵しているベビー変形用テーブルでは、テーブルの上部には多くの場合パッド(pad)が置かれたベビーの変形用テーブルの上面が含まれている。又、代わりに、浴槽を置くことも公知である。子供がベビー変形用テーブルが不要となる年齢になると、保育用プレートと浴槽を除去できる。追加の引出しと上面プレートを付けて、テーブルを子供室で使用しうる整理タンスにしている。
【０００４】
以前のベビー変形用テーブルのひとつの問題は、ユーザーを基準とした柔軟性が必ずしも焦点が合っていないことである。機能の多くはスペース節減に向けられている。そして、部分的には、ベビー変形用テーブルから子供が成長した後の用途に拡張することに焦点を絞っていた。例えば、２年間のような短期間しか子供が用いない製品の用途を拡張することは、小さな子の親は子供を持った時点で多くの場合多数の製品を取得しなければならないので、財政的にも、スペースの関係からも重要である。この点で、多くの場合、子供がベビー変形用テーブルを必要としなくなった時点で、上記のような整理タンスは主要なニーズではない。なぜなら、子供は多くの場合、整理タンス、食器棚、洋服タンスを既に有しているからである。ベビー変形用テーブルとして用いられるときに、ベビー変形用テーブルの引出し部分を、多くの場合、浴室内で衣類用に用いることは、、その引出しがおむつとケア製品(care product)に用いられるので、又は、その部屋の湿度の故に、多くの場合、問題外である。
【０００５】
特許文献１により、水平の棒材を付けたサイド部分から成っていて、そのサイド部分を用いて、その家具を種々の変形を持つテーブル、乳児用椅子及びベッド等に変形するのに使用しうるベビー・サークルが知られている。この解決策の欠点は、全ての家具が少なくとも３面のサイド部分を用いることが必要で、例えば、テーブルの１面のサイドのみを腰掛け用に使用する場合に使用面積が減少する。重量は比較的大きく、サイド部分がベビー・サークルの柵として用いられるので、サイド部分の高さは低くなる。結果として、適切な人間工学的作業位置に対してベビー変形用テーブルの高さはあまり高くない。さらに、特許文献１でサイド部分を付けて構成された家具では、子供が登れる水平棒材を有していて、多くの国で子供用家具として使用認可を得るのに妨げになる。
【０００６】
現在、多くの親が業務と家庭の両方で家具が人間工学的に優れていることに非常に関心を持っている。ベビーの変形をする場合、人が子供の変形をするのに必要な作業はベビーを立たせ、持上げ、向きを変える事であろう。又、おむつ、フランネル、タオル、ペーパー、衣類等を探すために腰を曲げる。これは１日に何度も繰り返す通常作業で、不適当な作業姿勢により身体に好ましくないストレスを生じる。それゆえ、ベビー変形用テーブルをユーザーの作業姿勢と子供の発達の両方に適合させ、又、安定して頑丈なものにするニーズがある。
【特許文献１】仏国特許第９１００２６号明細書
【発明の開示】
【発明が解決しようとする課題】
【０００７】
本発明の目的は、上記問題を解決し、以前の解決策の欠点を是正するコンビネーション・テーブルを提供することである。さらに、目的には、変形の可能性といくつかの実際的な用途の両方を持ち、単純な構造のコンビネーション・テーブルを提供することがある。
【発明の効果】
【０００８】
その目的は、添付した請求項に示した、ベビー変形用テーブルとして使用するための、高さ調節が可能なテーブルの上面、高さ調節が可能な棚、及び、ケア製品と洗浄用物品のための調節可能なホルダーを有し、又、子供のための机として、又は、仕切りとして用いるために再組立をしうるコンビネーション・テーブルを提供することである。
【発明を実施するための最良の形態】
【０００９】
ベビー変形用テーブル
本発明に基づくコンビネーション・テーブル１は、垂直な長手方向の中心面に対称になっていて、図１に示すようにテーブルを支持するサイドになっているサイド部材２から成っている。この実施例では、サイド部材２が僅かに円弧になっているが、代わりに、他の形状又は平面を有していて良い。サイド部材２は、例えば、そのサイド領域をカバーするために、垂直方向の棒材３が付いた長方形フレームとして構成されている。サイド部材は木材、金属、プラスチック及びその組合わせのような適当な材料から作ることができる。サイド部材２の２個所の下側コーナーには、旋回し、固定可能な車輪４又は脚が取付けられる。テーブルの上面５は、ユーザー（ベビーの変形を行う人）自身の高さに合うように高さ調節が可能なように取付けられる。テーブルの上面は木材、プラスチック、及び、容易に清浄にできる適当な材料で作られるが、テーブルの上面５自体の剛性と強度によっては代替的に横桁が含まれる。通常の貫通穴９とボルト又は同様の締結手段によりサイド部材の端部に横桁６を取付ける。横桁６は、通常の貫通穴９とボルト又は同様の締結手段によりサイド部材の端部に取付ける。ベビー変形用テーブルとして用いる場合、テーブルの上面５にはパッドを置くか、又は、好ましくは、取外し可能なパッド付き変形用マットを取付ける（図示せず）。
【００１０】
棚７はテーブルの上面５と同様にサイド部材間に水平に取付けられ、好ましい作業姿勢に適合するために高さを調節できる。棚７は屈曲保持材８によりサイド部材の端部に取付けられる。図２はベビー変形プレート５及び棚７の代替的構成を示している。棚の設計を変更できるが、好ましくは、荷重を加えている間、形態を維持するために、又、テーブルを補強するために、好ましく剛性を高めている。長手方向の端部は同じ理由で図面に示す実施例の凹曲面のようにサイド部材２の形状に適合する形状にすべきである。テーブルの上面５と棚７の横方向の端部はこの実施例の凸状のような他の形状にしうる。棚の数は変更しうる。棚７はこの実施例では中実であるが、代わりにメッシュ材料から作ることができる。そして、棚又はバスケットは必ずしもテーブルを補強する効果を有さず、例えば、サイド部材２の下端（下記参照）又は別の棚の間の中央に横桁１２と一緒に取付けるべきである。例えば、乾燥する必要がある浴用玩具を保管するため、又は、広げて乾かすべき布を乾燥するためには、中実でない材料の棚が有用であろう。
【００１１】
物品ホルダー１０及び１１をサイド部材２に取付けられる。又、プラスチックにして、棒材３にはめ込む締結手段を付けられる。又は、棚及びテーブル・プレートと同様にサイド部材２内にある穴９によりそれらを締結する。物品ホルダー１０及び１１は適切な作業姿勢に基づいて好ましい高さに調節しうる。例えば、物品ホルダーは、ローション、パウダー、ふき取り用紙ナプキン、温度計のためのボール(bowl)１０、洗面器、汚染衣料用バスケット等として、又は、廃棄物用バスケット、ペーパー・ホルダー、又は、種々の取出し容器（図示せず）のようなユーザーの用途に応じて他の実際的ホルダーとして形成しうる。
【００１２】
机
もはや、子供がベビー変形用テーブル１を必要としなくなったとき、他の実施例で、図３に示すように、ユーザーの脚及び椅子のための空間を設けるために、テーブルの下側の棚７を横桁１２で置換えることにより、又、代わりに、他の棚７を取り外すことにより再組立を行って、書面用又は作業用の机１３にする。さらに、この実施例では、テーブルの上面の高さを調節して、子供の成長に合わせ、好ましくは、Tripp-Trapp(R)の椅子（図３の点線）のような高さ調節ができる椅子と共に用いる。この方法で、子供の作業位置を成長に合わせて最適化しうる。
【００１３】
代わりに、テーブルのプレートとして、適当な棚７を使用しうる。又は、例えば、書類・図面のための保管空間を提供するために、棚７をテーブルの上面の真下に取付ける。
【００１４】
別の机１７を図５に示しているが、いくぶん長いテーブルの上面１８に凸状の端部を付けていて、別の図面に示されているものの両側のサイド部材２に適合させている。この場合の利点はテーブルのスペースが大きいことである。ユーザーの脚のために空間を追加するため、サイド部材２の後方下側コーナーの間にいくぶん長い横桁１９を取付けている。
【００１５】
代わりに、そのテーブルを子供又は大人に適したパソコン・テーブルとして使用する。又は、テーブルの上面５を棚７又は横桁１２と共に比較的低く取付けて、プレー用テーブル（図示せず）にしている。上記のテーブルの実施例で、文書、玩具、ディスク、CD等のような物品を保持するために物品ホルダーを同様に希望の高さに取付ける。
【００１６】
テーブルの上面５又は棚７の高さ調節はサイド部材２の端部にある穴９の列のような従来のシステムによって行える。ボルトを通してテーブルの上面５、棚７又は横桁６ないし１２に直接締めるか、又は、各図に示すように保持材８を介して締結する。締結及び調節のシステムは大人だけが操作でき、子供がテーブルを折りたためないようにすることが重要である。
【００１７】
仕切り
第三の実施例で、図４に示すようにスクリーン又は仕切り１５を形成するために、保持材１４例えば平坦な保持材を用いて、テーブル１のサイド部材２の一方の垂直な端部を合わせて結合する。安定性を維持し、転倒を避けるために、車輪４の代わりに支持脚又は弓形材１６をサイド部材２の下側コーナーに取付ける。この実施例では、サイド部材２を結合して図４に示すように円筒の一部を形成するように取付けるか、又は、用途によっては、Ｓ型にする。代わりに、保持材１４に屈曲部分を含めて良く、又は、屈曲型鉄材８を用いて、サイド部材を組合わせ、他の実施例の仕切りを実現する。代わりに、例えば、カバーリング又はメッシュのデザインのテーブルの上面５又は棚７をサイド部材２の間で端部の方向に沿って上記の保持材を用いて取付けて、仕切りを長くし、及び（又は）、屈曲部分を多くする（図示せず）。それにより、組立により仕切りを多様な形にしうる。例えば、２人の子供が一室を共有している場合、又は、部屋を睡眠セクションとプレー／作業セクションに分割する場合、仕切り１５を仕切用に用いる。さらに、仕切りは人形劇、家のような遊びのため、又は、子供の立入り禁止区域を設けるために用いられる。前記のように、物品ホルダー１１及び１２をサイド部材の任意の側に、又、希望の高さでその仕切りに取付けられる。希望する場合、サイド部材２を、壁の外側曲面上で延ばせるように、又は、例えば仕切り１５を部屋を分割するのに用いる場合、棒材３の間をジグザグにするのに、繊維材又はメッシュのような高密度又は半高密度の材料でカバーしうる。
【図面の簡単な説明】
【００１８】
【図１】本発明に基づくコンビネーション・机の透視図を示し、保育用のプレートと棚が付いている。
【図２】物品及びタオルのためのホルダーを有する別の構成で、図１のコンビネーション・テーブルを示している。
【図３】机として組立てられた図１のコンビネーション・テーブルの透視図を示している。
【図４】仕切りとして組立てられた図１のコンビネーション・テーブルの透視図を示している。
【図５】代替の机として、コンビネーション・テーブルの透視図を示している。
【国際公開パンフレット】
2004521713.tif 000003
2004521713.tif 000004
2004521713.tif 000005
2004521713.tif 000006
2004521713.tif 000007
2004521713.tif 000008
2004521713.tif 000009
2004521713.tif 000010
2004521713.tif 000011
2004521713.tif 000012
2004521713.tif 000013
2004521713.tif 000014
2004521713.tif 000015
2004521713.tif 000016
2004521713.tif 000017
2004521713.tif 000018
【国際調査報告】
2004521713.tif 000019
2004521713.tif 000020
2004521713.tif 000021